(57)【要約】【課題】  簡単な構成で、発光装置の過熱を防止することができ、発光装置の発熱が、導光板や光学シートに悪影響を与えないようにできる液晶表示装置を提供する。【解決手段】  液晶表示装置（１００）は、液晶表示パネル（１）、光学シート（２）、導光板（６）、導光板（６）の外周縁端部の端面に近接して配置される発光装置（７）、導光板（６）を背面側から支持するバックライトシャーシ（５）、液晶表示パネル（１）を背面側から支持するパネルシャーシ（８）を備える。このパネルシャーシ（８）は、パネル支持部（８ｂ）と導光板変形抑制部（８ｃ）とを有する。パネル支持部（８ｂ）は、液晶表示パネル（１）と光学シート（２）との間に設けられ、液晶表示パネル（１）の外周縁端部を背面側から支持する。導光板変形抑制部（８ｃ）は、光学シート（２）と導光板（６）との間に設けられ、該導光板（６）の外周縁端部を前面側から押さえる。【選択図】      図１
2015111205.tif 000002
【特許請求の範囲】
【請求項１】
画像を表示する表示面を有する液晶表示パネルと、
前記液晶表示パネルの前記表示面とは反対側の背面側に配置され、光を出射する発光部と、
前記液晶表示パネルの背面側に該液晶表示パネルと対向して配置される平板状の導光板であって、前記発光部から出射された光が該導光板の端面から入射するように該発光部に近接して配置され、端面から入射した光を液晶表示パネルと対向する面から出射する導光板と、
前記液晶表示パネルと前記導光板との間に、該液晶表示パネルおよび該導光板と対向して配置される平板状の光学シートであって、導光板から出射されて、導光板と対向する面から入射した光を予め定める光学特性の光に変換し、変換した光を液晶表示パネルと対向する面から出射する光学シートと、を備える液晶表示装置において、
前記導光板を支持する第１支持体であって、
前記導光板の前記液晶表示パネルと対向する面とは反対側の背面に対向して設けられ、前記導光板に近接する方向に突出して、前記導光板の中央部を支持する突出部分を有する板状の基部と、
前記基部の外周縁端部から前記導光板に近接する方向に突出する周壁部と、を有する第１支持体と、
前記第１支持体の前記基部と前記導光板の外周縁端部との間に設けられ、前記基部と前記発光部との間に介在されて該発光部を支持し、該発光部から発生する熱を吸収する吸熱部を有する吸熱部材と、
前記液晶表示パネルおよび前記光学シートを支持する第２支持体であって、
前記光学シートの外周縁端部の端面を外囲し、該光学シートに対して厚み方向両側に突出する枠状の支持本体部と、
前記液晶表示パネルの外周縁端部と前記光学シートの外周縁端部との間に介在されるように、前記支持本体部から突出し、該液晶表示パネルの外周縁端部を該光学シート側から支持するパネル支持部と、
前記光学シートの外周縁端部と前記導光板の外周縁端部との間に介在されるように、前記支持本体部から突出し、該光学シートの外周縁端部を該導光板側から支持するとともに、該導光板の外周縁端部に該光学シート側から接触して導光板の変形を抑制する導光板変形抑制部と、を有する第２支持体と、
前記第２支持体を外囲して設けられ、前記支持本体部が固定される枠体と、を備えることを特徴とする液晶表示装置。
【請求項２】
前記第２支持体は、前記周壁部に囲まれた空間に臨む周壁部の第１の面に接触するように、前記支持本体部から突出する第１周壁接触部と、前記周壁部の前記第１の面とは反対側の第２の面に接触するように、前記支持本体部から突出する第２周壁接触部とをさらに有し、第１周壁接触部と第２周壁接触部とによって前記周壁部を挟持するように構成されていることを特徴とする請求項１に記載の液晶表示装置。
【請求項３】
前記導光板と前記光学シートとが、互いに離隔して配置されていることを特徴とする請求項１または２に記載の液晶表示装置。
【発明の詳細な説明】
【技術分野】
【０００１】
本発明は、バックライト装置を構成する発光装置の発熱による悪影響を抑えることのできる液晶表示装置に関する。
【背景技術】
【０００２】
液晶表示装置は、透明電極とカラーフィルタとを含む２枚の透明基板の間に、配向膜を介して液晶を封入して成る液晶表示パネルと、液晶表示パネルを背面側から光照射するバックライト装置とを有し、透明電極に電圧を印加して液晶の分子配列を変位させ、バックライト装置から照射される光の透過率を変化させることにより、目的とする画像を液晶表示パネルの表示面に表示させるものである。
【０００３】
液晶表示装置は、バックライト装置の構造により、液晶表示パネルの背面側に光源となる発光装置を配設する直下型と、液晶表示パネルの背面に配置した導光板の縁端側に発光装置を配設するエッジライト型とに大別される。エッジライト型の液晶表示装置は、直下型に比べて、厚みを薄くできる利点があるため、近時では、エッジライト型のバックライト装置を採用した液晶表示装置が主流になりつつある。また光源とする発光装置については、陰極管やＬＥＤ（Light Emitting Diode、発光ダイオード）があるが、消費電力の小さいＬＥＤが利用される傾向にある。
【０００４】
ところで、液晶表示パネルの表示面の輝度を高めるには、発光装置を高輝度で発光させる必要があるが、エッジライト型バックライト装置では、導光板の縁端側に発光装置を集中させているため、高輝度で発光させたときに、発光装置が高温になるおそれがある。したがって、発光装置にＬＥＤを用いた場合、ＬＥＤは耐熱性が高くないので、高輝度発光の際に、熱による破損の問題が生じる。そこで、高輝度タイプの液晶表示装置では、直下型のバックライト装置を採用せざるを得ず、薄型化が困難であるという問題があった。
【０００５】
高輝度タイプの液晶表示装置に、エッジライト型のバックライト装置を適用するには、発光装置の過熱防止手段が必要となる。特許文献１に、エッジライト型バックライト装置の発光装置における過熱を防止するための技術が記載されている。特許文献１では、発光装置である複数のＬＥＤを２つ以上のグループに区別し、各グループを異なる構成部材に搭載する構造が記載されている。具体的には、導光板の側方に配置される複数のＬＥＤそれぞれを、交互にフロントカバーとリアカバーとに実装する構成としている。特許文献１によれば、かかる構成によって、ＬＥＤ１個あたりの放熱面積を拡大して、放熱効率を高めることができるので、ヒートシンクなどの熱発散部材を省略でき、液晶表示装置の薄型化、軽量化を図れるとされている。
【０００６】
図２は、従来の液晶表示装置２００の要部の概略構成を示す断面図であって、エッジライト型バックライト装置２３の発光装置２７に対する過熱防止技術の異なる従来例を示すものである。なお、同図において、液晶表示装置２００の表示面側に相当する表面を「前面」、これに対向する反対側の表面を「背面」と言うものとする。
【０００７】
図２に示す液晶表示装置２００は、液晶表示パネル２１と、液晶表示パネル２１の背面側に配設される偏光シートなどの光学シート２２と、光学シート２２の背面側に配設されるエッジライト型のバックライト装置２３と、バックライト装置２３の背面側に配設されるヒートスプレッダ３０と、ヒートスプレッダ３０の背面を覆うバックライトシャーシ２５と、液晶表示パネル２１の縁端部背面を支持する支持部２８ａを有するパネルシャーシ２８と、液晶表示パネル２１の縁端部前面を押さえるパネル押さえ部２９ａを有するフロントベゼル２９と、を備えてなる。
【０００８】
バックライト装置２３は、導光板２６と、導光板２６の縁端部近傍に配設される発光装置２７とを含み、導光板２６の背面に、反射シート２４が設けられる。発光装置２７は、ＬＥＤから成る発光素子２７ａと、制御基板２７ｂとを含んで成る。さらに図示は省略するが、画像データを処理して、液晶表示パネル２１の電圧制御およびバックライト装置２３の輝度制御を行なう制御部が設けられる。
【０００９】
図２の従来例では、導光板２６とバックライトシャーシ２５との間に、縁端部３０ａを、発光装置２７の制御基板２７ｂに接触または近接させたヒートスプレッダ３０が配設される。このヒートスプレッダ３０で、発光装置２７で発生する熱を吸収し、拡散させることによって、発光装置２７の過熱防止を図っている。なお、ヒートスプレッダ３０には、大小の隆起部３１，３２が形成され、この隆起部３１，３２を、導光板２６の背面に設けた反射シート２４に接触させて、導光板２６を支持する構成としている。
【先行技術文献】
【特許文献】
【００１０】
【特許文献１】特開２００９−３７２１２号公報
【発明の概要】
【発明が解決しようとする課題】
【００１１】
本発明者らは、エッジライト型のバックライト装置を備える液晶表示装置にあっては、発光装置が過熱によって破損する問題以外に、以下のような問題を生じさせるおそれがあるとの知見を得た。先ず、導光板にあっては、発光装置の発熱によって加熱され、熱膨張による伸び、反りなどの変形を起こす結果、発光装置から出射される光が導光板内へ正常に入射せず、入光効率を低下させたり、光漏れを生じさせたりするという問題がある。
【００１２】
次に、光学シートにあっては、高温になった発光装置の近傍部分のみ温度上昇をきたし、局所的に膨張する結果、光学シートにしわが発生し、透過させる光が不均一になって、表示画像にむらができるという問題がある。また、反りなどの熱変形した導光板が光学シートを押さえ込んでしまい、光学シートの熱膨張や移動の自由度が制限されて、やはり光学シートにしわが発生し、表示画像にむらができるという問題がある。さらに、液晶表示パネルにあっては、発光装置の熱が伝わって液晶表示パネルの温度が上昇すると、液晶表示パネルの特性が変化し、黒画像の輝度が増大する結果、表示画像にむらが生じたり、コントラスト比が相対的に低下するため、画像の表示品質が悪化したりするという問題がある。
【００１３】
特許文献１は、発光装置の破損以外の前述した問題点について、まったく考慮されていない。すなわち、前述の問題点を解決することができない。しかも、特許文献１に記載される従来の液晶表示装置は、２つ以上のグループに区別したＬＥＤを、それぞれ異なる構成部材に搭載するという複雑な構造を採用しているため、製造が難しく、液晶表示装置のコスト高を招く問題がある。
【００１４】
図２に示す従来の液晶表示装置２００もまた、発光装置２７の過熱防止以外の前述の問題点に対する対策を講じていないので、次のような問題点を生じさせる。ヒートスプレッダ３０は、縁端部３０ａが発光素子２７ａに接触または近接し、隆起部３１，３２が反射シート２４に接触する構成となっている。このため、縁端部３０ａで吸熱した発光装置２７の熱が、ヒートスプレッダ３０の全体に拡散し、熱が隆起部３１，３２を伝わって、反射シート２４を介し、導光板２６にも伝達される。その結果、導光板２６が、熱膨張によって伸びたり反ったりする変形を生じさせるので、発光装置２７の光出射面と、導光板２６の光入射面との位置関係が変位し、光の入光効率が低下して、設計通りの輝度が得られなくなる、という問題が生じる。
【００１５】
また、反射シート２４が、局所的に加熱されることによって、部分的に熱膨張を生じさせるため、反射シート２４にしわが発生し、光の反射状態が不均一になる。さらに、発光装置２７の熱が、導光板２６を介して、光学シート２２にも伝達され、光学シート２２が局所的に加熱され、部分的に熱膨張する結果、光学シート２２にしわが発生して、光の透過状態が不均一になるという問題がある。
【００１６】
本発明の目的は、簡単な構成で、発光装置の過熱を防止することができ、発光装置の発熱が、導光板や光学シートに悪影響を与えないようにできる液晶表示装置を提供することである。
【課題を解決するための手段】
【００１７】
本発明は、画像を表示する表示面を有する液晶表示パネルと、
前記液晶表示パネルの前記表示面とは反対側の背面側に配置され、光を出射する発光部と、
前記液晶表示パネルの背面側に該液晶表示パネルと対向して配置される平板状の導光板であって、前記発光部から出射された光が該導光板の端面から入射するように該発光部に近接して配置され、端面から入射した光を液晶表示パネルと対向する面から出射する導光板と、
前記液晶表示パネルと前記導光板との間に、該液晶表示パネルおよび該導光板と対向して配置される平板状の光学シートであって、導光板から出射されて、導光板と対向する面から入射した光を予め定める光学特性の光に変換し、変換した光を液晶表示パネルと対向する面から出射する光学シートと、を備える液晶表示装置において、
前記導光板を支持する第１支持体であって、
前記導光板の前記液晶表示パネルと対向する面とは反対側の背面に対向して設けられ、前記導光板に近接する方向に突出して、前記導光板の中央部を支持する突出部分を有する板状の基部と、
前記基部の外周縁端部から前記導光板に近接する方向に突出する周壁部と、を有する第１支持体と、
前記第１支持体の前記基部と前記導光板の外周縁端部との間に設けられ、前記基部と前記発光部との間に介在されて該発光部を支持し、該発光部から発生する熱を吸収する吸熱部を有する吸熱部材と、
前記液晶表示パネルおよび前記光学シートを支持する第２支持体であって、
前記光学シートの外周縁端部の端面を外囲し、該光学シートに対して厚み方向両側に突出する枠状の支持本体部と、
前記液晶表示パネルの外周縁端部と前記光学シートの外周縁端部との間に介在されるように、前記支持本体部から突出し、該液晶表示パネルの外周縁端部を該光学シート側から支持するパネル支持部と、
前記光学シートの外周縁端部と前記導光板の外周縁端部との間に介在されるように、前記支持本体部から突出し、該光学シートの外周縁端部を該導光板側から支持するとともに、該導光板の外周縁端部に該光学シート側から接触して導光板の変形を抑制する導光板変形抑制部と、を有する第２支持体と、
前記第２支持体を外囲して設けられ、前記支持本体部が固定される枠体と、を備えることを特徴とする液晶表示装置である。
【００１８】
また本発明の液晶表示装置において、前記第２支持体は、前記周壁部に囲まれた空間に臨む周壁部の第１の面に接触するように、前記支持本体部から突出する第１周壁接触部と、前記周壁部の前記第１の面とは反対側の第２の面に接触するように、前記支持本体部から突出する第２周壁接触部とをさらに有し、第１周壁接触部と第２周壁接触部とによって前記周壁部を挟持するように構成されていることを特徴とする。
【００１９】
また本発明の液晶表示装置において、前記導光板と前記光学シートとが、互いに離隔して配置されていることを特徴とする。
【発明の効果】
【００２０】
本発明によれば、液晶表示装置は、液晶表示パネルと、液晶表示パネルの背面側に配置されて光を出射する発光部と、導光板と、光学シートと、第１支持体と、吸熱部材と、第２支持体と、枠体とを備える。導光板は、液晶表示パネルの背面側に該液晶表示パネルと対向して配置される平板状の部材であり、発光部から出射された光が導光板の端面から入射するように発光部に近接して配置され、端面から入射した光を液晶表示パネルと対向する面から出射する。光学シートは、液晶表示パネルと導光板との間に、該液晶表示パネルおよび該導光板と対向して配置される平板状の部材であり、導光板と対向する面から入射した光を予め定める光学特性の光に変換し、その変換した光を液晶表示パネルと対向する面から出射する。
【００２１】
第１支持体は、導光板を支持する構造体であって、導光板の中央部を背面側から支持する突出部分が形成された基部と、該基部の外周縁端部から前記突出部分と同一側に突出する周壁部とを有する。吸熱部材は、第１支持体の基部と導光板の外周縁端部との間に設けられ、前記基部と発光部との間に介在されて発光部を支持し、発光部から発生する熱を吸収する吸熱部を有する。そして、第２支持体は、液晶表示パネルおよび光学シートを支持する構造体であって、第２支持体を外囲する枠体に固定される支持本体部、パネル支持部および導光板変形抑制部を有する。支持本体部は、光学シートの外周縁端部の端面を外囲する枠状の部分である。パネル支持部は、液晶表示パネルの外周縁端部と光学シートの外周縁端部との間に介在されるように、支持本体部から突出する部分であり、液晶表示パネルの外周縁端部を光学シート側から支持する。導光板変形抑制部は、光学シートの外周縁端部と導光板の外周縁端部との間に介在されるように、支持本体部から突出する部分であり、光学シートの外周縁端部を導光板側から支持するとともに、該導光板の外周縁端部に光学シート側から接触して導光板の変形を抑制する。
【００２２】
本発明の液晶表示装置では、光学シートの外周縁端部と導光板の外周縁端部との間に設けられる導光板変形抑制部が、導光板の外周縁端部に光学シート側から接触して導光板の変形を抑制するので、発光部の発熱によって導光板が熱膨張して光学シート側にせり上がってきたとしても、導光板のせり上がりを押さえ込んで、導光板の外周縁端部の端面と発光部との位置関係のずれが発生するのを抑制することができる。その結果、発光部から出射される光が導光板内へ正常に入射し、入光効率の低下を抑制することができるとともに、光漏れが生じるのを防止することができる。
【００２３】
また、光学シートの外周縁端部と導光板の外周縁端部との間に設けられる導光板変形抑制部が、導光板の外周縁端部に光学シート側から接触して導光板の変形を抑制するので、発光部の発熱によって反りなどの熱変形した導光板が光学シートを押さえ込んでしまうのを抑制して光学シートの熱膨張や移動の自由度が制限されるのを防止することができ、その結果、光学シートにしわが発生するのを抑制して、表示画像にむらができるのを防止することができる。
【００２４】
また本発明によれば、第２支持体は、第１支持体の周壁部に囲まれた空間に臨む周壁部の第１の面に接触するように、支持本体部から突出する第１周壁接触部と、周壁部の第１の面とは反対側の第２の面に接触するように、支持本体部から突出する第２周壁接触部とをさらに有し、第１周壁接触部と第２周壁接触部とによって周壁部を挟持するように構成されている。これによって、第２支持体と第１支持体との結合強度を高めることができる。その結果、第２支持体の導光板変形抑制部が導光板の外周縁端部を光学シート側から押さえる力が、発光部の発熱によって熱変形した導光板の光学シート側にせり上がってくる力に負けないように、導光板変形抑制部の導光板に対する押さえる力を補強することができる。したがって、発光部の発熱によって導光板が熱膨張したとしても、導光板変形抑制部によって導光板のせり上がりをより確実に防止することができるので、導光板の外周縁端部の端面と発光部との位置関係のずれが発生するのを抑制することができ、その結果、発光部から出射される光の導光板内への入光効率の低下を抑制することができる。
【００２５】
また本発明によれば、液晶表示装置において、導光板と光学シートとが、互いに離隔して配置されている。これによって、導光板と光学シートとの間に空間が形成されることになり、その空間の空気層による断熱効果を利用して、発光部の発熱が導光板を介して光学シートおよび液晶表示パネルに伝達されにくくなる。したがって、発光部の熱が伝わって液晶表示パネルの温度が上昇するのを抑制し、液晶表示パネルの特性が変化するのを防止することができ、その結果、表示画像にむらが生じたり、コントラスト比が相対的に低下して、画像の表示品質が悪化したりするのを防止することができる。
【００２６】
また、導光板と光学シートとの間に空間が形成されることによって、導光板の外周縁端部の端面に近接して配置される発光部と光学シートとの離間距離を長くすることができるので、光学シートの発光部に近接する部分が局所的に熱膨張するのを抑制することができ、その結果、光学シートにしわが発生するのを抑制して、表示画像にむらができるのを防止することができる。
【図面の簡単な説明】
【００２７】
【図１】本発明の一実施形態に係る液晶表示装置１００の要部の概略構成を示す断面図である。
【図２】従来の液晶表示装置２００の要部の概略構成を示す断面図である。
【発明を実施するための形態】
【００２８】
図１は、本発明の一実施形態に係る液晶表示装置１００の要部の概略構成を示す断面図である。なお以下の説明において、液晶表示パネル１の表示面側に相当する表面を「前面」と言い、これに対向する反対側の表面を「背面」と言うものとする。
【００２９】
本実施形態の液晶表示装置１００は、テレビジョンまたはパーソナルコンピュータなどにおいて、画像情報を出力することによって、画像を表示面に表示する装置である。液晶表示装置１００は、液晶表示パネル１、光学シート２、導光板６を備えるエッジライト型のバックライト装置３、反射シート４、第１支持体であるバックライトシャーシ５、発光部である発光装置７、第２支持体であるパネルシャーシ８、枠体であるフロントベゼル９、および、吸熱部材であるヒートスプレッダ１０を備える。さらに、図示は省略するが、液晶表示装置１００には、液晶表示パネル１の電圧制御や、バックライト装置３の輝度制御などの電気的制御を行うマイクロコンピュータからなる制御部が設けられる。
【００３０】
液晶表示パネル１は、後述のパネルシャーシ８のパネル支持部８ｂにより支持される。液晶表示パネル１は、２枚の基板を含み、厚み方向に見て長方形の板状に形成される。液晶表示パネル１は、ＴＦＴ（ｔｈｉｎ  ｆｉｌｍ  ｔｒａｎｓｉｓｔｏｒ）等のスイッチング素子を含み、２枚の基板の隙間には液晶が注入されている。液晶表示パネル１は、厚み方向一方側の表示面とは反対側の、厚み方向他方側の背面側に配置されるバックライト装置３の発光装置７から出射される光が、導光板６および光学シート２を介してバックライトとして照射されることによって、表示機能を発揮する。前記２枚の基板には、液晶表示パネル１における画素の駆動制御用のドライバ（ソースドライバ）、種々の素子および配線が設けられている。
【００３１】
光学シート２は、液晶表示パネル１と平行に、液晶表示パネル１の表示面とは反対側の背面に対向して配置される。光学シート２は、後述の導光板６から出射された光を予め定める光学特性の光に変換し、その変換した光を液晶表示パネル１に向けて出射する。具体的には、光学シート２は、導光板６を介して背面側から到達した光の進行の向きを、前面側に向ける。導光板６では、輝度が面方向に偏ることを防ぐために、光の進行方向は、ベクトル成分として、面方向の成分を多く含む。これに対し光学シート２は、面方向のベクトル成分を多く含む光の進行方向を、厚み方向の成分を多く含む光の進行方向に変換する。光学シート２は、レンズまたはプリズム状に形成される部分が面方向に多数並んで形成され、これによって、厚み方向に進行する光の拡散度を小さくする。したがって、液晶表示装置１００による表示において、輝度を上昇させることができる。
【００３２】
バックライト装置３は、導光板６と、導光板６の外周縁端部の端面に近接して配置される発光装置７とを有するエッジライト型である。導光板６の背面には、入射した光を液晶表示パネル１側へ反射する反射シート４が設けられる。発光装置７は、本実施形態では、導光板６の外周縁端部の端面に近接して配置されるＬＥＤから成る発光素子７ａと、発光素子７ａが装着される制御基板７ｂとを含んで成る。なお発光装置７は、導光板６の外周縁端部に沿って複数を配設するものでも、多数の発光素子７ａを、１つの制御基板７ｂ上に搭載してユニット化したものであってもよい。
【００３３】
導光板６は、光学シート２と平行に、光学シート２の液晶表示パネル１と対向する前面とは反対側の背面に対向して配置される。導光板６は、透光性樹脂材料からなり、矩形板状（本実施形態では、長方形板状）の部材である。導光板６は、発光装置７から出射されて、外周縁端部の端面から入射された光を、光学シート２の背面と対向する厚み方向一方面である前面から出射する。
【００３４】
本実施形態の液晶表示装置１００は、バックライト装置３の背面側、すなわち導光板６の外周縁端部の背面側にヒートスプレッダ１０が設けられている。このヒートスプレッダ１０は、発光装置７で発生した熱を吸収し、拡散させることによって、発光装置７の過熱防止を図るものである。ヒートスプレッダ１０は、導光板６の外周縁端部の背面に対向して配置される（後述のバックライトシャーシ５の基部５ａ上に配置される）ヒートスプレッダ基部１０ａと、ヒートスプレッダ基部１０ａの外周縁一端部に連なり、該ヒートスプレッダ基部１０ａから導光板６に近接する方向に垂直に立上がる吸熱部１０ｂと、ヒートスプレッダ基部１０ａの上面から導光板６に近接する方向に隆起する大小の隆起部１０ｃ，１０ｄとを有する。
【００３５】
ヒートスプレッダ１０においては、吸熱部１０ｂが、後述のバックライトシャーシ５の基部５ａと発光装置７との間に介在されて、発光装置７の制御基板７ｂに接触または近接して発光装置７を支持するように設けられ、この吸熱部１０ｂが発光装置７で発生した熱を吸収する。また、ヒートスプレッダ１０において、隆起部１０ｃ，１０ｄは、導光板６の背面に設けられた反射シート４に接触して設けられ、導光板６を背面側から支持するように構成されている。また、ヒートスプレッダ１０は、伝熱性に優れた材料で製作され、たとえば、銅、銅合金、アルミニウム、アルミニウム合金などが用いられる。
【００３６】
バックライトシャーシ５は、ヒートスプレッダ１０を背面側から覆い、さらには導光板６を背面側から覆うように形成されており、導光板６の中央部を背面側から支持するように構成されている。バックライトシャーシ５は、導光板６の背面に対向し、該導光板６の中央部を背面側から支持する導光板支持部５ａａが形成される板状の基部５ａと、基部５ａの外周縁端部に連なり該基部５ａから導光板支持部５ａａと同一側に突出する、すなわち液晶表示パネル１に向けて垂直に突出する周壁部５ｂとを有する。
【００３７】
バックライトシャーシ５の基部５ａの外周縁端部は、ヒートスプレッダ１０のヒートスプレッダ基部１０ａの背面に接触して設けられ、基部５ａの中央部に形成される導光板支持部５ａａが、導光板６の中央部において、導光板６の背面に設けられた反射シート４に接触して設けられ、導光板６を背面側から支持するように構成されている。
【００３８】
（第１実施形態）
本発明の第１実施形態に係る液晶表示装置１００では、パネルシャーシ８は、液晶表示パネル１を背面側から支持するとともに、光学シート２を背面側から支持する構造体であって、支持本体部に相当するパネルシャーシ基部８ａと、パネル支持部８ｂと、導光板変形抑制部８ｃとを有する。
【００３９】
パネルシャーシ基部８ａは、光学シート２の外周縁端部の端面を外囲し、光学シート２に対して厚み方向両側に突出するように、液晶表示パネル１の外周縁に沿った矩形枠状に形成され、液晶表示パネル１の外周縁端部の先端部に背面側から接触して設けられる。
【００４０】
パネル支持部８ｂは、パネルシャーシ基部８ａの前面側における内周縁端部から液晶表示パネル１の中央側に向かう方向に、液晶表示パネル１の背面に沿って突出する部分である。パネル支持部８ｂは、液晶表示パネル１の外周縁端部と光学シート２の外周縁端部との間に設けられ、液晶表示パネル１の外周縁端部の背面に接触して、液晶表示パネル１の外周縁端部を背面側（光学シート２側）から支持する。
【００４１】
導光板変形抑制部８ｃは、パネルシャーシ基部８ａの背面側における内周縁端部から導光板６の中央側に向かう方向に、導光板６の前面に沿って突出する部分である。導光板変形抑制部８ｃは、光学シート２の外周縁端部と導光板６の外周縁端部との間に設けられ、光学シート２の外周縁端部を背面側（導光板６側）から支持するとともに、導光板６の外周縁端部に光学シート２側から接触して、すなわち、導光板６の外周縁端部に前面側から接触して、導光板６の変形を抑制する。
【００４２】
（第２実施形態および第３実施形態）
また、本発明の第２実施形態に係る液晶表示装置１００では、パネルシャーシ８は、第１周壁接触部８ｄと、第２周壁接触部８ｅとをさらに有する。第２実施形態では、第１周壁接触部８ｄは、パネルシャーシ基部８ａの背面側における中央部から、液晶表示パネル１から離反する方向に、バックライトシャーシ５の周壁部５ｂに沿って突出する部分である。第１周壁接触部８ｄは、周壁部５ｂに囲まれた空間に臨む周壁部５ｂの第１の面（内表面）に接触して設けられる。また、第２周壁接触部８ｅは、パネルシャーシ基部８ａの背面側における外周縁端部から、液晶表示パネル１から離反する方向に、バックライトシャーシ５の周壁部５ｂに沿って突出する部分である。第２周壁接触部８ｅは、周壁部５ｂの前記第１の面とは反対側の第２の面（外表面）に接触して設けられる。第３実施形態では、第１周壁接触部８ｄは、周壁部５ｂの第１の面に接触し、かつヒートスプレッダ１０の吸熱部１０ｂに接触して設けられる。このような、第１周壁接触部８ｄおよび第２周壁接触部８ｅを有するパネルシャーシ８は、第１周壁接触部８ｄと第２周壁接触部８ｅとによって、バックライトシャーシ５の周壁部５ｂを挟持するように構成されている。
【００４３】
パネルシャーシ８は、パネル支持部８ｂによって液晶表示パネル１を支持し、導光板変形抑制部８ｃによって導光板６の変形を抑制し、第１周壁接触部８ｄと第２周壁接触部８ｅとによって周壁部５ｂをしっかりと挟持して、導光板６の外周縁端部の端面と発光装置７との位置関係のずれが発生するのを抑制することで、発光装置７から導光板６への光の入光効率を低下させないようにするために、剛性と強度とを有することが求められる。
【００４４】
（第４実施形態）
また、第４実施形態では、パネルシャーシ８は、第１周壁接触部８ｄにおいてヒートスプレッダ１０と接する。このパネルシャーシ８は、液晶表示パネル１、光学シート２、および導光板６を支持しているので、ヒートスプレッダ１０が吸収した熱が、液晶表示パネル１、光学シート２、および導光板６へ伝わらないように構成されることが好ましい。そこで、第４実施形態では、パネルシャーシ８は、断熱性に優れた材料によって形成される。パネルシャーシ８を構成する、断熱性に優れた材料としては、ＰＣ（ポリカーボネート）樹脂、ＡＢＳ（アクリロニトリル−ブタジエン−スチレン）樹脂、もしくは、これらの樹脂にガラス繊維を添加したガラス繊維強化樹脂などが用いられる。
【００４５】
フロントベゼル９は、液晶表示パネル１の外周縁端部の前面を覆うとともに、パネルシャーシ８の最外表面となる第２周壁接触部８ｅの外表面を覆うための部材である。フロントベゼル９は、矩形枠状に形成され、液晶表示パネル１の外周縁端部を前面側から覆うことによって該液晶表示パネル１を押さえるパネル押さえ部９ａと、パネル押さえ部９ａの外周縁端部から、パネルシャーシ８の第２周壁接触部８ｅに沿って延出して形成され、第２周壁接触部８ｅの外表面を覆うパネルシャーシ被覆部９ｂとを有する。本実施形態の液晶表示装置１００は、フロントベゼル９のパネル押さえ部９ａとパネルシャーシ８のパネル支持部８ｂとによって液晶表示パネル１を挟持し、パネルシャーシ被覆部９ｂが第２周壁接触部８ｅの外表面を覆ってパネルシャーシ基部８ａを固定し、パネルシャーシ８を全体的に固定するように構成されている。
【００４６】
（第５実施形態および第６実施形態）
また、本発明の第５実施形態に係る液晶表示装置１００では、液晶表示パネル１と光学シート２とが、パネルシャーシ８のパネル支持部８ｂの厚みに相当して、互いに離隔して配置されている。これによって、液晶表示パネル１と光学シート２との間に第１の空間Ｓ１が形成されることになる。さらにまた、本発明の第６実施形態に係る液晶表示装置１００では、導光板６と光学シート２とが、パネルシャーシ８の導光板変形抑制部８ｃの厚みに相当して、互いに離隔して配置されている。これによって、導光板６と光学シート２との間に第２の空間Ｓ２が形成されることになる。
【００４７】
以上のように構成される本実施形態の液晶表示装置１００は、以下に述べる作用および効果を発揮する。
【００４８】
前述の第１実施形態に係る液晶表示装置１００に備えられるパネルシャーシ８は、液晶表示パネル１の外周縁端部と光学シート２の外周縁端部との間に設けられるパネル支持部８ｂと、光学シート２の外周縁端部と導光板６の外周縁端部との間に設けられる導光板変形抑制部８ｃとを有し、パネル支持部８ｂが液晶表示パネル１の外周縁端部を背面側から支持し、導光板変形抑制部８ｃが導光板６の外周縁端部に前面側から接触して導光板６の変形を抑制するので、発光装置７の発熱によって導光板６が熱膨張して光学シート２側（前面側）にせり上がってきたとしても、導光板６のせり上がりを押さえ込んで、導光板６の外周縁端部の端面と発光装置７との位置関係のずれが発生するのを抑制することができる。その結果、発光装置７から出射される光が導光板６内へ正常に入射し、入光効率の低下を抑制することができるとともに、光漏れが生じるのを防止することができる。
【００４９】
また、光学シート２の外周縁端部と導光板６の外周縁端部との間に設けられる導光板変形抑制部８ｃが、導光板６の外周縁端部に光学シート２側（前面側）から接触して導光板６の変形を抑制するので、発光装置７の発熱によって反りなどの熱変形した導光板６が光学シート２を押さえ込んでしまうのを抑制して光学シート２の熱膨張や移動の自由度が制限されるのを防止することができ、その結果、光学シート２にしわが発生するのを抑制して、表示画像にむらができるのを防止することができる。
【００５０】
また、前述の第２実施形態、第３実施形態および第４実施形態に係る液晶表示装置１００に備えられるパネルシャーシ８は、バックライトシャーシ５の周壁部５ｂの内表面に接触する第１周壁接触部８ｄと、周壁部５ｂの外表面に接触する第２周壁接触部８ｅとをさらに有し、第１周壁接触部８ｄと第２周壁接触部８ｅとによって周壁部５ｂを挟持するように構成されている。これによって、パネルシャーシ８とバックライトシャーシ５との結合強度を高めることができる。その結果、パネルシャーシ８の導光板変形抑制部８ｃが導光板６の外周縁端部を前面側から押さえる力が、発光装置７の発熱によって熱変形した導光板６の前面側にせり上がってくる力に負けないように、導光板変形抑制部８ｃの導光板６に対する押さえる力を補強することができる。したがって、発光装置７の発熱によって導光板６が熱膨張したとしても、導光板変形抑制部８ｃによって導光板６のせり上がりをより確実に防止することができるので、導光板６の外周縁端部の端面と発光装置７との位置関係のずれが発生するのを抑制することができ、その結果、発光装置７から出射される光の導光板６内への入光効率の低下を抑制することができる。
【００５１】
さらにまた、前述の第５実施形態および第６実施形態に係る液晶表示装置１００では、液晶表示パネル１と光学シート２との間に第１の空間Ｓ１が形成され、導光板６と光学シート２との間に第２の空間Ｓ２が形成される。これによって、第１の空間Ｓ１および第２の空間Ｓ２の空気層による断熱効果を利用して、発光装置７の発熱が導光板６を介して光学シート２および液晶表示パネル１に伝達されにくくなる。したがって、発光装置７の熱が伝わって液晶表示パネル１の温度が上昇するのを抑制し、液晶表示パネル１の特性が変化するのを防止することができ、その結果、表示画像にむらが生じたり、コントラスト比が相対的に低下して、画像の表示品質が悪化したりするのを防止することができる。
【００５２】
また、導光板６と光学シート２との間に第２の空間Ｓ２が形成されることによって、導光板６の外周縁端部の端面に近接して配置される発光装置７と光学シート２との離間距離を長くすることができるので、光学シート２の発光装置７に近接する部分が局所的に熱膨張するのを抑制することができ、その結果、光学シート２にしわが発生するのを抑制して、表示画像にむらができるのを防止することができる。
【００５３】
（第７実施形態）
なお、本発明の第７実施形態に係る液晶表示装置１００では、パネルシャーシ８の導光板変形抑制部８ｃには、導光板６に近接する方向に突出する突出部が形成されていることが好ましい。これによって、導光板変形抑制部８ｃの厚みに相当して、導光板６と光学シート２との間に形成される第２の空間Ｓ２をより広くすることができ、その結果、第２の空間Ｓ２の空気層による断熱効果を利用して、発光装置７の発熱が導光板６を介して光学シート２および液晶表示パネル１に伝達されにくくなる効果をより顕著なものとすることができる。
【００５４】
このように、本実施形態の液晶表示装置１００は、前述した従来の問題点を全て解決することができるので、エッジライト型バックライト装置を採用して、薄型化を実現した高輝度タイプの液晶表示装置を提供することができる。しかも、発光装置７が過熱により破損する問題とともに、発光装置７の発熱が、導光板６、光学シート２、液晶表示パネル１に悪影響を及ぼす問題が解消されるから、表示品位を安定させることができる。
【符号の説明】
【００５５】
１  液晶表示パネル
２  光学シート
３  バックライト装置
４  反射シート
５  バックライトシャーシ
５ａ  基部
５ａａ  導光板支持部
５ｂ  周壁部
６  導光板
７  発光装置
７ａ  発光素子
７ｂ  制御基板
８  パネルシャーシ
８ａ  パネルシャーシ基部
８ｂ  パネル支持部
８ｃ  導光板変形抑制部
８ｄ  第１周壁接触部
８ｅ  第２周壁接触部
９  フロントベゼル
９ａ  パネル押さえ部
９ｂ  パネルシャーシ被覆部
１０  ヒートスプレッダ
１０ａ  ヒートスプレッダ基部
１０ｂ  吸熱部
１０ｃ，１０ｄ  隆起部
１００  液晶表示装置
【図１】
2015111205.tif 000003
【図２】
2015111205.tif 000004